(57)【要約】  本発明は、分離膜エレメントの製造工程安定化と、分離膜エレメントの高造水化を両立する、凹凸シート状物を装填した分離膜エレメントを提供することにある。本発明は、分離膜と、前記分離膜の透過側に配置された透過側流路材を有する分離膜エレメントにおいて、前記透過側流路材は少なくとも一方の面に凹凸を有する開孔シート状物であり、前記凹凸における凸部は密開孔領域であり、凹部は粗開孔領域である分離膜エレメントに関する。
2017131146.tif 000002
【特許請求の範囲】
【請求項１】
分離膜と、前記分離膜の透過側に配置された透過側流路材を有する分離膜エレメントにおいて、前記透過側流路材は少なくとも一方の面に凹凸を有する開孔シート状物であり、前記凹凸における凹部は粗開孔領域であり、凸部は密開孔領域である分離膜エレメント。
【請求項２】
前記凹部における表面開孔率が５０％以下である請求項１に記載の分離膜エレメント。
【請求項３】
前記凸部の長手方向に垂直でありかつ長手方向において凸部の中心を通る横断面において、前記凸部の幅と高さとの積に対する、前記凸部の横断面積の比が、０．５５以上０．９９以下である請求項１または２に記載の分離膜エレメント。
【請求項４】
前記透過側流路材における凹凸は、前記透過側流路材の一方の面に配置されている請求項１〜３のいずれか１項に記載の分離膜エレメント。
【発明の詳細な説明】
【技術分野】
【０００１】
本発明は、液体及び気体等の流体に含まれる成分を分離するために使用される分離膜エレメントに関する。
【背景技術】
【０００２】
海水及びかん水などに含まれるイオン性物質を除くための技術においては、近年、省エネルギー及び省資源のためのプロセスとして、分離膜エレメントによる分離法の利用が拡大している。【０００３】
分離膜エレメントによる分離法に使用される分離膜は、その孔径や分離機能の点から、精密ろ過膜、限外ろ過膜、ナノろ過膜、逆浸透膜、及び正浸透膜に分類される。これらの膜は、例えば海水、かん水及び有害物を含んだ水などからの飲料水の製造、工業用超純水の製造、並びに排水処理及び有価物の回収などに用いられており、目的とする分離成分及び分離性能によって使い分けられている。【０００４】
分離膜エレメントとしては様々な形態があるが、分離膜の一方の面に原水を供給し、他方の面から透過流体を得る点では共通している。分離膜エレメントは、束ねられた多数の分離膜を備えることで、１個の分離膜エレメントあたりの膜面積が大きくなるように、つまり１個の分離膜エレメントあたりに得られる透過流体の量が大きくなるように形成されている。【０００５】
分離膜エレメントとしては、用途や目的にあわせて、スパイラル型、中空糸型、プレート・アンド・フレーム型、回転平膜型、及び平膜集積型などの各種の形状が提案されている。【０００６】
例えば、逆浸透ろ過には、スパイラル型分離膜エレメントが広く用いられる。スパイラル型分離膜エレメントは、中心管と、中心管の周囲に巻き付けられた積層体とを備える。積層体は、原水（つまり被処理水）を分離膜表面へ供給する供給側流路材、原水に含まれる成分を分離する分離膜、及び分離膜を透過し供給側流体から分離された透過側流体を中心管へと導くための透過側流路材が積層されることで形成される。スパイラル型分離膜エレメントは、原水に圧力を付与することができるので、透過流体を多く取り出すことができる点で好ましく用いられている。【０００７】
スパイラル型分離膜エレメントでは、一般的に、供給側流体の流路を形成させるために、供給側流路材として、主に高分子製のネットが使用される。また、分離膜として、積層型の分離膜が用いられる。積層型の分離膜は、供給側から透過側に積層された、ポリアミドなどの架橋高分子からなる分離機能層、ポリスルホンなどの高分子からなる多孔性樹脂層（多孔性支持層）、ポリエチレンテレフタレートなどの高分子からなる不織布の基材を備えている。また、透過側流路材としては、分離膜の落ち込みを防ぎ、かつ透過側の流路を形成させる目的で、供給側流路材よりも間隔の細かいトリコットと呼ばれる編み物部材が使用される。【０００８】
近年、造水コストの低減への要求の高まりから、分離膜エレメントの高性能化が求められている。例えば、分離膜エレメントの分離性能の向上、及び単位時間あたりの透過流体量の増大のために、各流路材等の分離膜エレメント部材の性能向上が提案されている。【０００９】
具体的には、特許文献１では、糸を不織布上に配置した流路材を備えた分離膜エレメントが提案されている。特許文献２では、一般的なフィルムをインプリント成形し、ドットなど、フィルム表面方向における液体通過性を改善した分離膜エレメントが提案されている。
【先行技術文献】
【特許文献】
【００１０】
【特許文献１】米国特許出願公開第２０１２−０２６１３３３号明細書
【特許文献２】日本国特開２００６−２４７４５３号公報
【発明の概要】
【発明が解決しようとする課題】
【００１１】
しかし、特許文献１では、不織布など表面に孔を有するシートに、溶融した熱可塑性樹脂を含浸固定しているため、製造装置が大型化しプロセスが複雑になる。また、特許文献２のように流路材が非多孔性である場合、流路材の内部に空間が生じず、結果的に通過する液体の流れが制限され、得られた分離膜エレメントの造水量が低くなる問題がある。【００１２】
そこで、本発明では、分離膜エレメントの製造工程安定化と、分離膜エレメントの高造水化とを両立する、凹凸シート状物を装填した分離膜エレメントを提供することを目的とする。
【課題を解決するための手段】
【００１３】
上記目的を達成するため、本発明によれば、分離膜と、前記分離膜の透過側に配置された透過側流路材を有する分離膜エレメントにおいて、前記透過側流路材は少なくとも一方の面に凹凸を有する開孔シート状物であり、前記凹凸における凹部は密開孔領域であり、凸部は粗開孔領域である分離膜エレメントが提供される。【００１４】
また、本発明の好ましい形態によれば、前記凹部における表面開孔率が５０％以下である分離膜エレメントが提供される。【００１５】
また、本発明の好ましい形態によれば、前記凸部の長手方向に垂直でありかつ長手方向において凸部の中心を通る横断面において、前記凸部の幅と高さとの積に対する、前記凸部の横断面積の比が、０．５５以上０．９９以下である分離膜エレメントが提供される。【００１６】
また、本発明の好ましい形態によれば、前記透過側流路材における凹凸は、前記透過側流路材の一方の面に配置されている分離膜エレメントが提供される。
【発明の効果】
【００１７】
本発明によって、流路断面形状の均一性が高く、またシートの開孔部の配置を適切化することで、透過側流路の抵抗低減と、分離膜エレメントの製造工程におけるロール・トゥ・ロールによる搬送時のシワ抑制とを両立することができる。
【図面の簡単な説明】
【００１８】
【図１】図１は、本発明の分離膜エレメントの一例を示す模式図である。
【図２】図２は、本発明に適用可能な透過側流路材の一例を示す斜視図である。
【図３】図３は、流路が一方向に並んでいる透過側流路材の一例を示す斜視図である。
【図４】図４は、凹凸シートの横断面図の一例である。
【図５】図５は、凹凸シートにおける凸部の横断面図の一例である。
【発明を実施するための形態】
【００１９】
次に、本発明の分離膜エレメントの実施形態について、詳細に説明する。
【００２０】
＜分離膜エレメントの概要＞
分離膜エレメントの製造方法は限定されないが、図１に示すように、供給側流路材１を分離膜２で挟み込み、透過側流路材３を積層させて一組のユニットとし、集水管４の周囲にスパイラル状に巻囲して分離膜エレメント５を得ることができる。
【００２１】
本発明において、原水を受圧する分離膜の透過側を支持する透過側流路材３は、少なくとも一方の面に凹凸を有する開孔シート状物（以下、凹凸シート状物という）であり、かつ凸部６は密開孔領域であり、凹部７は粗開孔領域である。この凹凸シート状物は、賦形されたシート状物である。
【００２２】
ここで、「賦形された」とは、シート状物を変形させてその状態で固定する態様や、シート状物に同種または異種の素材からなる物体をその表面に接合させる態様や、シート状物をエッチングする態様など、賦形されたシート状物（凹凸シート状物）を分離膜で挟んだ場合に、凹凸シート状物と分離膜の間に流路空間が形成されるように処理されることを指す。つまり、シート状物を賦形することで、凹凸シート状物を得ることができる。
【００２３】
上記透過側流路材における凹凸は、上記透過側流路材の一方の面（片面）に配置されていてもよいし、両方の面（両面）に配置されていてもよい。
【００２４】
＜密開孔領域と粗開孔領域＞
凹凸シート状物における密開孔領域とは、凹凸シート状物の表面において、任意の開孔部の周辺と、最も近接する開孔部の周辺との最短距離が０．００５ｍｍ以上０．１ｍｍ以下の領域である。すなわち、凹凸シート状物の単位面積あたりに存在する開孔数が、比較的多いことになる。
【００２５】
また、粗開孔領域とは、任意の開孔部の周辺と、最も近接する開孔部の周辺との最短距離が０．１ｍｍを超える領域である。すなわち、凹凸シート状物の単位面積あたりに存在する開孔数が比較的少ない、または開孔が存在しないことになる。
【００２６】
本発明の凹凸シート状物では、凹部が粗開孔領域である。凹部が粗開孔領域であることで、凹凸シート状物の剛性が均一化され、かつ適切な強度が発現されるため、凹凸シート状物の搬送におけるシワの発生が起こり難く、手動での凹凸シートの取扱い性が良好となり、凹凸シート状物の生産ロスが少なくなる。
【００２７】
また、凹凸シート状物の凸部が密開孔領域であることで、穴が流路となることができ、凹凸シート状物における平面方向の流路が拡大し、その結果、流動抵抗低減によるエレメントの造水量が向上する効果がある。
【００２８】
（表面開孔率）
凹部の表面開孔率は、上述したように凹凸シート状物の剛性が均一化し、かつ適切な強度が発現させるため、好ましくは５０％以下であり、より好ましくは４０％以下であり、さらに好ましくは５％以上３０％以下である。
【００２９】
（表面開孔率の測定方法）
凹凸シート状物における表面開孔率の測定方法としては、特に制限されないが、例えば、マイクロスコープ法が挙げられる。マイクロスコープ法では、例えばキーエンス社製高精度形状測定システムＫＳ−１１００を用い、倍率１００倍で凹凸シート状物の表面から撮影し、テクスチャの数値をゼロにして画像を白黒化する。続いて、得られたデジタル画像を画像解析ソフト（ＩｍａｇｅＪ）で解析し、表面開孔率（％）＝１００×（開孔部の面積／切り出し面積）として算出することを３０回繰り返し、その平均値を表面開孔率とすることができる。なお、この測定は凹凸シート状物の凸部または凹部に限定して実施することで、凸部及び凹部の表面開孔率をそれぞれ解析することができる。
【００３０】
＜凹凸シート状物の厚み＞
図４における凹凸シート状物の厚みＨ０は、０．１ｍｍ以上１ｍｍ以下であることが好ましい。厚みの測定は、電磁式、超音波式、磁力式、及び光透過式等のさまざまな方式のフィルム膜厚測定器が市販されているが、非接触のものであればいずれの方式でもよい。ランダムに１０ヶ所で測定を行いその平均値で評価する。０．１ｍｍ以上であることで透過側流路材としての強度を備え、応力が負荷されても凹凸の潰れや破れを引き起こすこと無く取り扱うことができる。また、厚みが１ｍｍ以下で集水管への巻囲性を損なうことなく、エレメント内に挿入できる分離膜や流路材数を増加させることができる。
【００３１】
＜凹凸シート状物の凸部の高さ、凹部の溝幅＞
図４における凹凸シート状物の凸部の高さＨ１は、０．０５ｍｍ以上０．８ｍｍ以下であることが好ましい。また、凹部の溝幅Ｄは０．０２ｍｍ以上０．８ｍｍ以下であることが好ましい。凸部の高さＨ１や凹部の溝幅Ｄは、凹凸シート状物の横断面を市販のマイクロスコープなどで観察することで測定することができる。
【００３２】
凸部の高さや凹部の溝幅、及び積層された分離膜とで形成される空間が流路となることができ、凸部の高さや凹部の溝幅が上記範囲であることで、加圧ろ過時の膜落込みを抑制しつつ、流動抵抗を低減し、耐圧性と造水性能に優れた分離膜エレメントを得ることができる。
【００３３】
＜凹凸シート状物の凸部の幅＞
図４における凹凸シート状物の凸部の幅Ｗは、運転する圧力に応じて決定することができ、特に限定されない。
【００３４】
＜凹凸シート状物の材料＞
凹凸シート状物の形態としては、編み物や織物、多孔性フィルムや不織布、ネットなどを用いることができる。特に不織布の場合では、不織布を構成する繊維同士で形成された流路となる空間が広くなるため、水が流動しやすく、その結果、分離膜エレメントの造水能が向上するため好ましい。
【００３５】
また、凹凸シート状物の材料であるポリマーの材質については、透過側流路材としての形状を保持し、透過水中への成分の溶出が少ないものであるならば特に限定されない。例えば、ナイロン等のポリアミド系、ポリエステル系、ポリアクリロニトリル系、ポリエチレンやポリプロピレン等のポリオレフィン系、ポリ塩化ビニル系、ポリ塩化ビニリデン系、及びポリフルオロエチレン系等の合成樹脂が挙げられるが、特に高圧化に耐えうる強度や親水性を考慮するとポリオレフィン系やポリエステル系を用いるのが好ましい。
シート状物が複数の繊維から構成される場合では、繊維が例えばポリプロピレン／ポリエチレン芯鞘構造を有するものを用いてもよい。
【００３６】
＜凹凸シート状物の目付量＞
凹凸シート状物目付量、すなわち単位面積あたりの重量は１５ｇ／ｍ２以上１５０ｇ／ｍ２以下であることが好ましい。目付量を好ましくは１５ｇ／ｍ２以上、より好ましくは２０ｇ／ｍ２以上、さらに好ましくは２５ｇ／ｍ２以上とすることにより、シートの剛性が増す傾向にあるため、成形時のズレに対する耐性が向上し均一な成形が可能となる。
【００３７】
また、凹凸シート状物の目付量を好ましくは１５０ｇ／ｍ２以下、より好ましくは１２０ｇ／ｍ２以下、さらに好ましくは９０ｇ／ｍ２以下とすることにより、シート状物を巻きとった際でも凹凸シート状物の柔軟性が確保されるため、破壊が生じにくくなる。
【００３８】
＜凹凸シート状物による流路＞
凹凸シート状物の両面に分離膜が配置された際、凸部と隣接する凸部の空間は、透過水の流路となることができる。流路は、凹凸シート状物自体が波板状、矩形波状、及び三角波状などに賦形加工されていたり、凹凸シート状物の一面が平坦で他の表面が凹凸状に加工されていたり、凹凸シート状物表面に他の部材が凹凸形状に積層されることによって形成されたものであってもよい。
【００３９】
＜凹凸シート状物の成形方法＞
流路を構成するため、シート状物表面に凹凸形状を形成する方法の一つにインプリント加工がある。インプリント加工とは、ポリマーのガラス転移温度以上に加熱したポリマーに、同じくポリマーのガラス転移温度以上に加熱した凹凸形状を持った金型を圧入する。なお、金型は金属製のものが一般的で、切削加工により凹凸形状が施されている。金型に圧力を加えた状態で冷却し、金型をポリマーから取り外すことによって、ポリマー表面に金型とは逆の凹凸をシート状物表面に転写する加工方法である。
【００４０】
シート状物にインプリント加工を施すことにより、凸部の平面形状として、図２に示すようなドット状に柱状の突起を成形した凹凸シート状物を得ることができる。ドットの配列は千鳥型に配置された場合は、原水を受圧する時の応力が分散され、陥没の抑制に有利である。なお、図２には断面（シート平面に対して平行面）が円である円柱状の突起を記載したが、多角形や楕円等、特に断面形状については限定しない。また、異なる断面の凸部が混在していてもよい。
また、図３に示すような溝が一方向に並んで連続した溝を有する凹凸形状、すなわち凸部の平面形状が直線状であってもよい。
【００４１】
本発明に用いる分離膜は、公知の方法により製造することができる。そうして得られた分離膜と、凹凸シート状物は、凹凸シート状物を分離膜の裏側にあてて、分離膜を支持するように配置し、巻囲をして分離膜エレメントを得る。
【００４２】
シート状物、すなわち成形前の凹凸シート状物は、成形後のシート状物の重量と同等のものを用いるとよい。幅や厚みについては、特に限定されないが、幅については凹凸シート状物と同等であることが好ましく、厚みについては、成形後の厚み（すなわち、凹凸シートの厚み方向において、最も遠い距離）の３分の１より厚いものを用いることが好ましい。
【００４３】
分離膜エレメントに装填される分離膜としては、逆浸透膜、限外ろ過膜、精密ろ過膜、及び気体分離膜など、分離特性を発現するものであれば用いることができる。
【００４４】
また、分離膜エレメントの形態としては特に限定されないが、特に優れた耐圧性や、液体や気体の通過性が要求されるスパイラル型エレメントに対して、本発明の凹凸シート状物は、特にその機能を発揮することができる。
【００４５】
＜凹凸シート状物の凸部の横断面形状＞
図５は、凸部の横断面図（シート平面に対して垂直面）である。この横断面は、凸部の長手方向に垂直であって、長手方向において凸部の中心を通る。この横断面において、凸部の幅Ｗと高さＨ１との積に対する凸部の横断面積Ｓの比（横断面積比Ａ）は、０．５５以上０．９９以下であることが好ましく、０．６以上０．９９以下であることがより好ましく、０．７以上０．９９以下であることがさらに好ましい。
【００４６】
つまり、横断面積比Ａは、
Ａ＝Ｓ／（Ｗ×Ｈ１）
で表され、かつ
０．５５≦Ａ≦０．９９
を満たすことが好ましく、
０．６≦Ａ≦０．９９
を満たすことがより好ましく、
０．７≦Ａ≦０．９９
を満たすことが特に好ましい。
【００４７】
なお、幅Ｗとは、断面における幅の最大値であり、高さＨ１とは断面における高さの最大値である。よって、図４の例では、横断面形状は台形であり、幅Ｗ、すなわち該断面における幅の最大値は台形の底辺の長さに相当し、高さＨ１、すなわち該断面における高さの最大値は台形の高さに相当する。なお、図４の例のように、横断面形状は厚み方向で広がる形状、つまり底辺が横断面の幅で最も長くなる。
【００４８】
横断面積比Ａが０．９９以下であるということは、凸部の１つの横断面形状において、幅及び高さの少なくとも一方が一定でないことを示す。つまり、この式を満たす流路材の横断面では、一辺の長さがＷであってそれに直交する辺の長さがＨ１である長方形の外縁よりも、内側に凹んだ部分が存在する。
【００４９】
辺の長さがＷ及びＨ１である長方形の流路材では、Ａは“１”である。この場合、凸部の角が直角に近いため、加圧運転時に凸部の直角部分が、分離膜を破断させ分離特性が失われる。
【００５０】
これに対して、上述の要件を満たす凸部が設けられていると、加圧運転時に分離膜を安定に支持できると共に、凸部に負荷される応力が凸部全体に均一になるため、同じ運転圧力下においても凸部の変形が小さくなる傾向にある。このような理由から、凸部の横断面において、凸部の幅Ｗと高さＨ１との積に対する凸部の横断面積Ｓの比（横断面積比Ａ）は、０．５５以上０．９９以下であることが好ましく、０．６以上０．９９以下であることがより好ましく、０．７以上０．９９以下であることがさらに好ましい。
【実施例】
【００５１】
以下に実施例によって本発明をさらに詳細に説明するが、本発明はこれらの実施例によってなんら限定されるものではない。【００５２】
（凹凸シート状物の厚み及び凸部の高さ）
凹凸シート状物の厚みＨ０については、ＡＢＳデジマチックインジケータ（ミツトヨ社製  品番５４７−３０１）を用いて凹凸シート状物の任意の３０カ所を測定し、各高さの値を総和した値を測定総箇所（３０箇所）の数で割って求めた値を凹凸シート状物の厚みＨ０とした。
また、凸部の高さＨ１はキーエンス社製高精度形状測定システムＫＳ−１１００を用い、５ｃｍ×５ｃｍの測定結果から平均の高低差を解析した。１０μｍ以上の高低差のある３０箇所を測定し、各高さの値を総和した値を測定総箇所（３０箇所）の数で割って求めた値を凸部の高さＨ１とした。【００５３】
（凹凸シート状物の凸部の幅及び凹部の溝幅）
キーエンス社製高精度形状測定システムＫＳ−１１００を用いそれぞれ２００箇所について測定し、その平均値を算出した（図４参照）。すなわち凸部の幅Ｗとは、例えば凸部の断面が台形の場合、最も高い位置と最も低い位置の中間同士を結んだ距離であり、凹部の溝幅Ｄとは隣接する２つの凸部について最も高い位置と最も低い位置の中間同士を結んだ距離のことである。【００５４】
（凸部の横断面積比）
キーエンス社製高精度形状測定システムＫＳ−１１００を用いて、凹凸シート状物における任意の凸部について、図５に示すような凸部の横断面積を測定した。続いて、上述の方法で測定した凸部の幅、高さの積に対する横断面積の比率を算出し、任意の凸部３０カ所の平均値を横断面積比とした。【００５５】
（凸部及び凹部の表面開孔率）
キーエンス社製高精度形状測定システムＫＳ−１１００を用い、倍率１００倍で凹凸シート状物の表面から撮影し、テクスチャの数値をゼロにして画像を白黒化した。続いて、得られたデジタル画像を画像解析ソフト（ＩｍａｇｅＪ）で解析し、凸部の表面開孔率（％）＝１００×（凸部の開孔部の面積／撮影した画像の凸部の総面積）として算出することを３０回繰り返し、その平均値を凸部の表面開孔率とした。なお、凹部についても同様の手法で測定・算出した。【００５６】
（造水量）
分離膜エレメントについて、供給水として、濃度２００ｐｐｍかつｐＨ６．５のＮａＣｌ水溶液を用い、運転圧力０．２５ＭＰａ、温度２５℃の条件下で１５分間運転（回収率１５％）した後に１分間のサンプリングを行い、膜の単位面積あたり、かつ１日あたりの透水量かつ１日あたりの透水量（ガロン）を造水量（ＧＰＤ（ガロン／日））として表した。【００５７】
（除去率（ＴＤＳ除去率））
造水量の測定における１分間の運転で用いた原水及びサンプリングした透過水について、ＴＤＳ濃度を伝導率測定により求め、下記式からＴＤＳ除去率を算出した。
ＴＤＳ除去率（％）＝１００×｛１−（透過水中のＴＤＳ濃度／原水中のＴＤＳ濃度）｝【００５８】
（凹凸シート状物の作製）
ポリプロピレン／ポリエチレン芯鞘不織布（出光ユニテック社製  ストラテック）にインプリント加工を施し、凹凸シート状物を得た。具体的には切削加工により溝を形成した金属金型でポリプロピレン／ポリエチレン芯鞘不織布を挟み込み、１００〜１４０℃／２〜５分間／１５ＭＰａで保圧し、４０℃で冷却後に金型から取り出して表１及び表２に示す凹凸シート状物を得た。なお、表中のＭＤとは、スパイラル型エレメントにおいて集水管の長手方向に直行する方向である。【００５９】
【表１】
2017131146.tif 000003
【００６０】
【表２】
2017131146.tif 000004
【００６１】
（実施例１）
ポリエチレンテレフタレート繊維からなる不織布（糸径：１デシテックス、厚み：約０．０９ｍｍ、密度０．８０ｇ／ｃｍ３）上にポリスルホンの１５．２質量％のＤＭＦ溶液を１８０μｍの厚みで室温（２５℃）にてキャストし、ただちに純水中に浸漬して５分間放置し、８０℃の温水で１分間浸漬することによって繊維補強ポリスルホン支持膜からなる、多孔性支持層（厚さ０．１３ｍｍ）を作製した。【００６２】
その後、多孔性支持層ロールを巻き出し、ｍ−ＰＤＡの１．４重量％、ε−カプロラクタム４．１重量％水溶液を塗布し、エアーノズルから窒素を吹き付け支持膜表面から余分な水溶液を取り除いた後、トリメシン酸クロリド０．０５重量％を含む２５℃のｎ−デカン溶液を表面が完全に濡れるように塗布して１分間静置した。次に、膜から余分な溶液を除去するために膜を１分間垂直に保持して液切りした。その後、９０℃の熱水で２分間洗浄して分離膜ロールを得た。【００６３】
このように得られた分離膜を、分離膜エレメントでの有効面積が０．５ｍ２となるように折り畳み断裁加工し、ネット（厚み：０．５ｍｍ、ピッチ：３ｍｍ×３ｍｍ、繊維径：２５０μｍ、投影面積比：０．２５）を供給側流路材として幅２６０ｍｍかつリーフ長１２００ｍｍで１枚のリーフを作製した。【００６４】
得られたリーフの透過側面に透過側流路材として表１に示す凹凸シート状物を積層し、ＡＢＳ（アクリロニトリル−ブタジエン−スチレン）製集水管（幅：３５０ｍｍ、径：１８ｍｍ、孔数１０個×直線状１列）にスパイラル状に巻き付け、外周にさらにフィルムを巻き付けた。テープで固定した後に、エッジカット、端板の取り付けを行うことで、直径が２インチの分離膜エレメントを作製した。【００６５】
分離膜エレメントを圧力容器に入れて、上述の条件で各性能を評価したところ、結果は表１の通りであった。【００６６】
（実施例２〜８）
凹凸シート状物を表１及び２の通りにした以外は全て実施例１と同様にして、分離膜及び分離膜エレメントを作製した。
分離膜エレメントを圧力容器に入れて、上述の条件で各性能を評価したところ、結果は表１及び表２の通りであった。【００６７】
（比較例１）
透過側流路材を、連続形状を有するトリコット（厚み：２６０μｍ、溝幅：４００μｍ、畦幅：３００μｍ、溝深さ：１０５μｍ、ポリエチレンテレフタレート製）を用いたこと以外は全て実施例１と同様に分離膜エレメントを作製した。
分離膜エレメントを圧力容器に入れて、上述の条件で各性能を評価したところ、結果は表２の通りであった。すなわち、トリコットでは構造が緻密で有り流動抵抗が大きく、造水量が低い傾向にあった。【００６８】
（比較例２）
不織布にホットメルト（積水フーラー社製  ＰＨＣ−９２７５）を固着し、表２の凹凸シート状物を透過側流路材として用いたこと以外は全て実施例１と同様に分離膜エレメントを作製した。
分離膜エレメントを圧力容器に入れて、上述の条件で各性能を評価したところ、結果は表２の通りであった。すなわち、凹部が密開孔領域であるため、加圧ろ過時に膜落ち込みとともに変形しやすく、流路を閉塞して透過側の流動抵抗が増加した。【００６９】
表１及び表２に示す結果から明らかなように、本発明の実施例１〜８の分離膜エレメントは、高い圧力で運転しても、高い除去性能を有する充分な量の透過水を得ることができ、優れた分離性能を安定して備えていると言える。【００７０】
本発明を特定の態様を用いて詳細に説明したが、本発明の意図と範囲を離れることなく様々な変更及び変形が可能であることは、当業者にとって明らかである。なお本出願は、２０１６年１月２９日付で出願された日本特許出願（特願２０１６−０１５１５３）、２０１６年４月２７日付で出願された日本特許出願（特願２０１６−０８８８９３）、及び２０１６年９月８日付で出願された日本特許出願（特願２０１６−１７５３２０）に基づいており、その全体が引用により援用される。
【符号の説明】
【００７１】
１  供給側流路材
２  分離膜
３  透過側流路材
４  集水管
５  分離膜エレメント
６  凸部
７  凹部
Ａ  横断面積比
Ｄ  溝幅
Ｈ０  凹凸シート状物の厚み
Ｈ１  凹凸シート状物の凸部の高さ
Ｓ  凹凸シート状物の凸部の横断面積
Ｗ  凹凸シート状物の凸部の幅
【図１】
2017131146.tif 000005
【図２】
2017131146.tif 000006
【図３】
2017131146.tif 000007
【図４】
2017131146.tif 000008
【図５】
2017131146.tif 000009
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
分離膜と、前記分離膜の透過側に配置された透過側流路材を有する分離膜エレメントにおいて、前記透過側流路材は少なくとも一方の面に凹凸を有する開孔シート状物であり、前記凹凸における凹部は、任意の開孔部の周辺と、最も近接する開孔部の周辺との最短距離が０．１ｍｍを超える粗開孔領域であり、凸部は、任意の開孔部の周辺と、最も近接する開孔部の周辺との最短距離が０．００５ｍｍ以上０．１ｍｍ以下である密開孔領域であり、前記凹部における表面開孔率が５０％以下である分離膜エレメント。
【請求項２】
前記凸部の長手方向に垂直でありかつ長手方向において凸部の中心を通る横断面において、前記凸部の幅と高さとの積に対する、前記凸部の横断面積の比が、０．５５以上０．９９以下である請求項１に記載の分離膜エレメント。
【請求項３】
前記透過側流路材における凹凸は、前記透過側流路材の一方の面に配置されている請求項１または２に記載の分離膜エレメント。
【国際調査報告】
2017131146.tif 000010
2017131146.tif 000011
2017131146.tif 000012
2017131146.tif 000013